(57)【要約】【課題】節電対策のために、ディスプレイ部に展示した商品見本や広告パネルを照明する蛍光灯等の照明装置を終日消灯しても、自動販売機が稼働中であることを商用電源を使用せずして知らしめることができるようにする。【解決手段】商品見本Ｄ１、Ｄ２、Ｄ３…によって占有されないディスプレイ部２内部の空きスペースに、周囲の明るさ・暗さを検知する光センサ１７と、ソーラーパネル１６ａ、１６ｂ及びその蓄電池と、当該蓄電池を電源とするＬＥＤ照明と、光センサ１７で日没の暗さが検知されたときにＬＥＤ照明を点灯させるＬＥＤ点灯回路と、ＬＥＤ照明の光によって「節電中」等の表示情報を照らし出す電照パネル１４とを備えた電照式表示器１１が設置されている。【選択図】図６
0003172532.tif 000002
【実用新案登録請求の範囲】
【請求項１】
機体の正面部を形成する外扉に、販売商品の商品見本を並べて展示するディスプレイ部が設けられた自動販売機において、前記商品見本によって占有されない前記ディスプレイ部内部の空きスペースに、周囲の明るさ・暗さを検知する光センサと、ソーラーパネル及びその蓄電池と、当該蓄電池を電源とするＬＥＤ照明と、前記光センサで日没の暗さが検知されたときに前記ＬＥＤ照明を点灯させるＬＥＤ点灯回路と、前記ＬＥＤ照明の光によって表示情報を照らし出す電照パネルとを備えた電照式表示器が設置されていることを特徴とする自動販売機。
【請求項２】
前記電照パネルに、「販売中」もしくは「節電中」と横書き又は縦書きされた文字情報が表示されている請求項１記載の自動販売機。
【請求項３】
前記ディスプレイ部の背板部が、強磁性を有する板体で形成され、前記電照式表示器が、その器体の背面に設けた磁石の吸着力によって前記ディスプレイ部の背板部に吸着固定されている請求項１又は２記載の自動販売機。
【請求項４】
前記電照式表示器の器体が、直方形の箱型ケースからなり、その器体の正面中央に、前記電照パネルとなる方形の透光性プラスチックパネルを差し替え可能に差し入れてその四辺を保持する中抜きフレームが形成されると共に、当該中抜きフレームの背後に前記ＬＥＤ照明となる方形のＬＥＤパネルが配設され、その両側に、一対の前記ソーラーパネルが配設されている請求項１、２又は３記載の自動販売機。
【請求項５】
前記電照式表示器が、前記ＬＥＤ照明の点灯、点滅、消灯の切替えを行う３点切替スイッチを備えている請求項１、２、３又は４記載の自動販売機。
【考案の詳細な説明】
【技術分野】
【０００１】
本考案は、缶・ボトル飲料自動販売機、紙容器飲料自動販売機、カップ飲料自動販売機、アルコール飲料自動販売機、タバコ自動販売機等の自動販売機に関する。
【背景技術】
【０００２】
省エネ法（エネルギーの使用の合理化に関する法律）に基づく特定機器に指定されている缶・ボトル飲料自動販売機や、紙容器飲料自動販売機、カップ飲料自動販売機等は、大幅な消費電力量低減の目標値が定められており、その目標値を達成することが求められている。
【０００３】
自動販売機の消費電力量低減のために実施されている手段としては、販売直前の商品が存在するゾーンだけを局所的に冷却するゾーンクーリングや、真空断熱材の採用、照明（蛍光灯）の自動点灯・自動消灯、インバータによる減光（調光）などがある。
【０００４】
また、照明の消費電力量を低減するための刊行物記載の公知技術としては、商品見本や広告パネル等を照明する調光可能な蛍光灯を、自動販売機外部が薄暗い時に点灯し、暗くなれば調光点灯して、集客効果を下げることなく節電効果を高めるもの（特許文献１）や、商品見本等を照明する蛍光灯を節電消灯するようにした自動販売機に関して、商品展示室内に商品見本照明用の発光ダイオードを設け、自動販売機の前面に利用者が接近したことを検出する人体検知センサの出力に基づいて前記発光ダイオードを点灯制御して自動販売機が稼動状態であることを利用者に知らせるもの（特許文献２及び３）や、自動販売機の天面にソーラーパネルを設け、該ソーラーパネルで発電された電力を自動販売機の外扉の内部に設けたバッテリーに充電して自動販売機の電力の一部を賄うもの（特許文献４）などがある。
【０００５】
しかしながら、既設の自動販売機に上記特許文献１〜４に記載の公知技術を適用して消費電力量を低減しようとすれば、その自動販売機に改造を施さなければならないという面倒があると同時に、改造を施すために設置場所から一旦撤去しなければならないという不便があり、また、改造費と撤去・再設置のための費用が嵩むという問題がある。特に、特許文献２及び３に記載の如く、商品展示室（＝ディスプレイ部）の内部に商品見本照明用の発光ダイオードを設けると共に、自動販売機の前面に利用者が接近したことを検出する人体検知センサと、当該センサの出力に基づいて発光ダイオードを点灯させる制御装置とを設ける改造を施したり、特許文献４に記載の如く、自動販売機の天面にソーラーパネルを設け、該ソーラーパネルで発電された電力を充電するバッテリーを自動販売機の外扉の内部に設ける改造を施す場合は、その改造費が著しく嵩むという問題がある。
【０００６】
また、特許文献１に記載の公知技術は、商品見本や広告パネル等を照明する蛍光灯を調光点灯して節電を図るものであるが、２０１１年３月１１日の東日本大震災発生後は、電力供給不足のために、商用電源の電力を使用して点灯する自動販売機の照明を終日消灯するように要請されることがあり、その要請を受けて、商品見本や広告パネル等を照明する蛍光灯を夜間も消灯状態にしていると、自動販売機が販売停止状態となっているかの如く誤解されて、商品の売り上げが著しく減少するおそれがあった。
【先行技術文献】
【特許文献】
【０００７】
【特許文献１】特開平８−８７６６２号公報
【特許文献２】特開平１０−２８３５４４号公報
【特許文献３】特開２０１０−１８２２２３号公報
【特許文献４】特開２０１１−１８６８８３号公報
【考案の概要】
【考案が解決しようとする課題】
【０００８】
本考案は、節電対策のために、商品見本や広告パネルを照明する蛍光灯等を終日消灯していても、自動販売機が稼働中で商品の購入が可能であることを知らしめることができる自動販売機を提供することを技術的課題としている。
【課題を解決するための手段】
【０００９】
上記課題を解決するために、本考案は、機体の正面部を形成する外扉に、販売商品の商品見本を並べて展示するディスプレイ部が設けられた自動販売機において、前記商品見本によって占有されない前記ディスプレイ部内部の空きスペースに、周囲の明るさ・暗さを検知する光センサと、ソーラーパネル及びその蓄電池と、当該蓄電池を電源とするＬＥＤ照明と、前記光センサで日没の暗さが検知されたときに前記ＬＥＤ照明を点灯させるＬＥＤ点灯回路と、前記ＬＥＤ照明の光によって表示情報を照らし出す電照パネルとを備えた電照式表示器が設置されていることを特徴とする。
【考案の効果】
【００１０】
本考案の自動販売機は、節電対策のために、商品見本や広告パネル等を照明する蛍光灯その他の照明装置を終日消灯していても、夜間になると、ディスプレイ部内部の空きスペースに設置された電照式表示器が、ソーラーパネルの蓄電池を電源とするＬＥＤ照明の光によって電照パネルの表示情報を照らし出し、商用電源の電力を一切使用することなく自動販売機が稼働中であることを購買者に知らしめることができるという効果がある。
【００１１】
なお、電照パネルの表示情報は、例えば、「販売中」あるいは「節電中」と書された文字情報からなるものであれば、自動販売機が稼働中で商品の購入が可能であることを確実に知らしめることができるが、それらに限らず、販売商品の製造メーカーのロゴマーク等であっても、これが光によって照らし出されることにより、自動販売機が稼働中であることを知らしめることができる。また、本考案によれば、既設の自動販売機についても、そのディスプレイ部内部の空きスペースに電照式表示器を設置するのみで、上記の効果を奏するものとすることができる。
【図面の簡単な説明】
【００１２】
【図１】本考案の実施例１に係る自動販売機の正面図
【図２】図１の自動販売機に設置された電照式表示器の正面側の斜視図
【図３】図１の自動販売機に設置された電照式表示器の背面側の斜視図
【図４】図１の自動販売機に設置された電照式表示器の中央部縦断面図
【図５】図１の自動販売機に設置された電照式表示器の構成を示すブロック図
【図６】本考案の実施例２に係る自動販売機の正面図
【図７】図６の自動販売機に設置された電照式表示器の正面図
【考案を実施するための形態】
【００１３】
本考案の実施形態に係る自動販売機は、その機体の正面部を形成する外扉に、飲料あるいはタバコ等の販売商品の商品見本を並べて展示するディスプレイ部が設けられ、当該ディスプレイ部内部の空きスペースに、周囲の明るさ・暗さを検知するフォトダイオード等からなる光センサと、ソーラーパネル及びその蓄電池と、当該蓄電池を電源とする方形のＬＥＤパネルからなるＬＥＤ照明と、前記光センサで日没の暗さが検知されたときに前記ＬＥＤ照明を点灯させるＬＥＤ点灯回路と、前記ＬＥＤ照明の点灯、点滅、消灯の切替えを行う３点切替スイッチと、前記ＬＥＤ照明の光によって表示情報を照らし出す電照パネルとを備えた電照式表示器が設置されている。
【００１４】
電照式表示器の器体は、プラスチックで成形された直方形の箱型ケースからなり、その器体の正面中央に、前記電照パネルとなる方形の透光性パネルを差し替え可能に差し入れてその四辺を保持する中抜きフレームが形成されると共に、当該中抜きフレームの背後に添わせるように方形のＬＥＤパネルからなる前記ＬＥＤ照明が配設され、それら中抜きフレーム及びＬＥＤ照明を挟んで器体の正面両側に、一対の前記ソーラーパネルが配設され、その片側に前記光センサが配設されている。また、電照式表示器の電照パネルには、「販売中」もしくは「節電中」と横書き又は縦書きされた文字情報が表示されている。
【００１５】
自動販売機の外扉に設けられたディスプレイ部は、その前面部がアクリル板等の透明パネルで形成され、その背板部が強磁性を有する金属板等の板体で形成されており、当該ディスプレイ部の内部に設置された電照式表示器が、その器体の背面に設けた磁石の吸着力によって強磁性を有する金属板からなるディスプレイ部の背板部に吸着固定されている。
【実施例１】
【００１６】
図１に示す本考案の実施例１に係る自動販売機Ｘは、省エネ法の特定機器に指定されている缶・ボトル飲料自動販売機であって、その機体の正面部を形成する外扉１に、販売するボトル飲料と缶入り飲料の商品見本Ｄ１、Ｄ２、Ｄ３…を並べて展示するディスプレイ部２と、紙幣挿入口３、コイン投入口４、返却レバー５、コイン返却口６、購入商品の取出口７等が設けられている。
【００１７】
ディスプレイ部２は、その前面部８が、アクリル板等の透明パネルで形成され、商品見本Ｄ１、Ｄ２、Ｄ３…の展示・入れ替えの際に開閉する中扉ともなっている背板部９が、強磁性を有する金属板で形成されて、これら前面部８と背板部９との間に形成される密閉空間内に、商品見本Ｄ１、Ｄ２、Ｄ３…を並べて展示すると共にそれら各商品見本ごとにその販売価格を表示する価格表示板１０ａ、１０ｂ及び１０ｃが、上下三段に配設されている。また、ディスプレイ部２の前面部８には、価格表示板１０ａ〜１０ｃの前端部に表示された各商品の販売価格と対応する位置に沿って一定のピッチで、購入商品を選択する選択ボタンＢ１、Ｂ２、Ｂ３…が配設されている。
【００１８】
そして、ディスプレイ部２の内部には、上段の価格表示板１０ａに並べて展示される商品見本Ｄ１〜Ｄ７の上方に、これら商品見本によって占有されない空きスペースが存在し、その空きスペースに、自動販売機Ｘの消費電力節減のために当該自販機に標準装備されたディスプレイ部２の照明（図示せず）を終日消灯しても商品の購入が可能であることを知らしめることができる電照式表示器１１が、長さ３１０ｍｍ、幅６５ｍｍ、厚さ３０ｍｍの直方形の箱型ケースからなる器体１２をディスプレイ部２内の価格表示板１０ａと平行する横長の向きにして、当該価格表示板１０ａの上方に設置されている。
【００１９】
電照式表示器１１は、その器体１２の背面に設けた磁石１３ａ、１３ｂ及び１３ｃによって自動販売機Ｘのディスプレイ部２の背板部９に吸着固定されるので、自動販売機Ｘに何ら改造を施さなくともそのディスプレイ部２内部に設置することができ、自動販売機Ｘに対する取り付け作業や取り外し作業も極めて容易に且つ速やかに行うことができる。
【００２０】
また、電照式表示器１１は、器体１２の正面中央に、赤べた（赤の地色）に抜き文字で「販売中」と横書きした文字情報が表示されている方形の透光性プラスチックパネルからなる電照パネル１４と、当該電照パネル１４の表示情報をその背後から光を当てて照らし出す方形のＬＥＤパネルからなるＬＥＤ照明１５とが配設され、器体１２の正面の両側に、室内の蛍光灯下でも発電可能なアモルファス型のソーラーパネル１６ａ、１６ｂが配設され、その片側に周囲の明るさ・暗さを検知するフォトダイオード等からなる光センサ１７が配設されている。
【００２１】
また、電照式表示器１１の器体１２の正面中央には、方形の電照パネル１４を差し替え可能に差し入れて当該電照パネル１４の四辺を保持する中抜きフレーム１８が形成されており、当該中抜きフレーム１８の背後に添わせるようにＬＥＤ照明１５が配設されている。
【００２２】
、
そして、器体１２の側部には、ＬＥＤ照明１５の点灯（ON）、点滅（FLASH）、消灯（OF）の切替えを行う３点切替スイッチ１９が配設され、器体１２の内部には、ＬＥＤ照明１５の電源となるソーラーパネル１６ａ、１６ｂの蓄電池２０と、光センサ１７によって１００ルクス未満となる日没の暗さが検知されたときにＬＥＤ照明１５を点灯ないし点滅させるＬＥＤ点灯回路２１とが収容配設されている。なお、蓄電池２０は、満充電状態で、ＬＥＤ照明１５を１０時間以上連続点灯させることができ、１５時間以上点滅させることができる蓄電容量を有した電源電圧１．２Ｖ／１０００ｍＡｈのニッケルカドミウム電池で形成されている。
【００２３】
しかして、自動販売機Ｘのディスプレイ部２内部の空きスペースに電照式表示器１１を設置するときは、まず、自動販売機Ｘの外扉１を開け、次に、外扉１の背面に設けられたディスプレイ部２の背板部９ともなる中扉を開けて、電照式表示器１１をその器体１２の背面に設けた磁石１３ａ〜１３ｃによりディスプレイ部２の背板部９の前面側に吸着固定させると共に、器体１２の側部に設けられた３点切替スイッチ１９を点灯又は点滅のポジションに切り替えてから、前記中扉（ディスプレイ部２の背板部９）を閉じ、次いで外扉１を閉じる。
【００２４】
これにより、節電対策のために、自動販売機Ｘに標準装備された商用電源を使用するディスプレイ部２の照明を終日消灯状態としても、日暮れになると、ディスプレイ部２内部の空きスペースに設置された電照式表示器１１が、昼間にソーラーパネル１６ａ、１６ｂで発電される電気を充電した蓄電池２０を電源として点灯又は点滅するＬＥＤ照明１５の光により、電照パネル１４に表示された「販売中」の文字情報を照らし出し、自動販売機Ｘが稼働中で商品が購入可能な状態にあることを夜間も購買者に知らしめることができる。
【実施例２】
【００２５】
図６に示す本考案の実施例２に係る自動販売機Ｙも、実施例１に係る自動販売機Ｘと同じく缶・ボトル飲料自動販売機であって、その機体の正面部を形成する外扉１に、販売商品の商品見本Ｄ１、Ｄ２、Ｄ３…を並べて展示するディスプレイ部２が設けられ、当該ディスプレイ部２内部の空きスペースに電照式表示器１１が設置されている。
【００２６】
自動販売機Ｙが、実施例１に係る自動販売機Ｘと相違する点は、販売商品の商品見本Ｄ１、Ｄ２、Ｄ３…を並べて展示する価格表示板１０ａ、１０ｂ及び１０ｃの長さが、自動販売機Ｘのそれよりも短く形成されて、上段の価格表示板１０ａと中段の価格表示板１０ｂの片端側に商品見本Ｄ１、Ｄ２、Ｄ３…によって占有されない空きスペースが設けられ、当該空きスペースに、電照式表示器１１が、その器体１２を価格表示板１０ａ、１０ｂと直交する縦長の向きにして設置されている点と、縦長の向きにして設置される電照式表示器１１の中抜きフレーム１８に差し入れる電照パネル１４が、図７（ａ）及び（ｂ）の如く、赤の地色に抜き文字で「節電中」と縦書きされた文字情報を表示するものとなっている点であり、その他の点は、自動販売機Ｘと概ね共通するので、対応箇所に自動販売機Ｘと同一符号を付して詳細説明は省略する。
【００２７】
なお、実施例１及び２の自動販売機Ｘ及びＹは、いずれも缶・ボトル飲料自動販売機であるが、本考案の自動販売機は、これに限らず、紙容器飲料自動販売機や、カップ飲料自動販売機、アルコール飲料自動販売機、あるいはタバコ自動販売機等であってもよい。
【００２８】
また、電照式表示器１１の電照パネル１４は、「販売中」の文字情報が縦書きされたものや、「節電中」の文字情報が横書きされたものであってもよいし、「販売中」や「節電中」の文字情報に限らず、販売商品の製造メーカーのロゴマークや、広告用の文字、図柄等が表示されたものであってもよい。
【産業上の利用可能性】
【００２９】
本考案は、自動販売機の節電対策等に有用なものである。
【符号の説明】
【００３０】
Ｘ…自動販売機
Ｙ…自動販売機
Ｄ１〜Ｄ７…商品見本
１…外扉
２…ディスプレイ部
８…ディスプレイ部の前面部
９…ディスプレイ部の背板部
１１…電照式表示器
１２…器体
１３ａ〜１３ｃ…磁石
１４…電照パネル
１５…ＬＥＤ照明
１６ａ…ソーラーパネル
１６ｂ…ソーラーパネル
１７…光センサ
１８…中抜きフレーム
１９…３点切替スイッチ
２０…ソーラーパネルの蓄電池
２１…ＬＥＤ点灯回路
【図１】
0003172532.tif 000003
【図２】
0003172532.tif 000004
【図３】
0003172532.tif 000005
【図４】
0003172532.tif 000006
【図５】
0003172532.tif 000007
【図６】
0003172532.tif 000008
【図７】
0003172532.tif 000009